(57)【要約】【課題】   スタックトレイのシート支持面に排出された各シートの後端が後端支持部材にもたれかかった状態を、水平なシート支持面上に垂直方向に重なった状態でスタックされたシート束にすること。【解決手段】  シート支持面がシート排出方向前方に行くに従って上方に傾斜した傾斜姿勢と水平姿勢との間で回動可能な前記スタックトレイ２と、前記スタックトレイ２をシート積載量に応じて下降させる下降装置（Ｍ１＋１３〜１５）と、前記スタックトレイ２が下端位置に移動した状態で前記シート支持面を前記傾斜姿勢から前記水平姿勢に回動させるスタックトレイ回動装置（Ｍ２＋１１＋１６〜１９）と、前記シート後端支持部材の下端部をシート排出方向前方に移動させて前記スタックトレイ２上のシート後端を前方に移動させる後端支持部材移動装置（Ｍ３＋２１＋２４＋２５）とを備えた排紙トレイ装置（１）。【選択図】図１０
2006076754.tif 000002
【特許請求の範囲】
【請求項１】
次の構成要件（Ａ01）〜（Ａ03）を備えたトレイ装置、
（Ａ01）画像記録されたシートが排出され且つ排出されたシートが順次積載されるスタックトレイであって、シート支持面がシート排出方向前方に行くに従って上方に傾斜した傾斜姿勢と水平姿勢との間で回動可能な前記スタックトレイ、
（Ａ02）前記スタックトレイをシート積載量に応じて下降させる下降装置、
（Ａ03）前記スタックトレイが下端位置に移動した状態で前記シート支持面を前記傾斜姿勢から前記水平姿勢に回動させるスタックトレイ回動装置、
【請求項２】
次の構成要件（Ａ04）を備えた請求項１記載のトレイ装置、
（Ａ04）前記スタックトレイが下端位置に移動したときに前記シート支持面を前記傾斜姿勢から前記水平姿勢に自動的に回動させる前記スタックトレイ回動装置。
【請求項３】
次の構成要件（Ａ05），（Ａ06）を備えた請求項１または２記載のトレイ装置、
（Ａ05）前記スタックトレイに排出されたシート後端を位置決め支持するシート後端支持部材であって上端が回動可能に支持され且つ下端がシート排出方向に移動可能な前記シート後端支持部材、
（Ａ06）前記スタックトレイが下端位置に移動した状態で前記シート後端支持部材の下端部をシート排出方向前方に移動させて前記スタックトレイ上のシート後端を前方に移動させる後端支持部材移動装置。
【請求項４】
次の構成要件（Ａ07）を備えた請求項１ないし３のいずれか記載のトレイ装置、
（Ａ07）前記スタックトレイが下端位置に移動した時に前記シート後端支持部材の下端部をシート排出方向前方に自動的に移動させて前記スタックトレイ上のシート後端を前方に移動させる前記後端支持部材移動装置。
【請求項５】
次の構成要件（Ａ01），（Ａ02），（Ａ05），（Ａ06）を備えたトレイ装置、
（Ａ01）画像記録されたシートが排出され且つ排出されたシートが順次積載されるスタックトレイであって、シート支持面がシート排出方向前方に行くに従って上方に傾斜した傾斜姿勢と水平姿勢との間で回動可能な前記スタックトレイ、
（Ａ02）前記スタックトレイをシート積載量に応じて下降させる下降装置、
（Ａ05）前記スタックトレイに排出されたシート後端を位置決め支持するシート後端支持部材であって上端が回動可能に支持され且つ下端がシート排出方向に移動可能な前記シート後端支持部材、
（Ａ06）前記スタックトレイが下端位置に移動した状態で前記シート後端支持部材の下端部をシート排出方向前方に移動させて前記スタックトレイ上のシート後端を前方に移動させる後端支持部材移動装置。
【請求項６】
次の構成要件（Ａ01），（Ａ03′）を備えたトレイ装置、
（Ａ01）画像記録されたシートが排出され且つ排出されたシートが順次積載されるスタックトレイであって、シート支持面がシート排出方向前方に行くに従って上方に傾斜した傾斜姿勢と水平姿勢との間で回動可能な前記スタックトレイ、
（Ａ03′）前記スタックトレイの前記シート支持面を前記傾斜姿勢から前記水平姿勢に回動させるスタックトレイ回動装置。
【発明の詳細な説明】
【技術分野】
【０００１】
本発明は、プリンタ、複写機等の画像形成装置で画像記録されたシートが排出されるスタックトレイを有する排紙トレイ装置に関し、特にシート排出方向前方が斜め上側に傾斜したシート支持面を有するスタックトレイを備えた排紙トレイ装置に関する。
本発明の排紙トレイ装置は大量のシートが排紙される上下動可能なスタックトレイ（エレベータ式のスタックトレイ）を有する排紙トレイ装置に好適に使用される。例えば本発明は、中速カット紙プリンタにおけるフィニッシャー等に設けられた大量のシート排出が可能なエレベーター式のスタックトレイを有するシート排紙トレイ装置に適用される。
【背景技術】
【０００２】
通常、スタックトレイの形状は、シートの排紙方向の端面が揃うように排紙方向下流側が高くなるように傾斜させている。また、スタックトレイはそのシート支持面に排出されるシート量に応じて順次下方に移動して、スタックトレイ上のシート束の上面位置（スタックトレイに排出されるシートを支持する面）の位置が常に同じ高さとなるように構成されている。
【０００３】
前記種類のスタックトレイとしては、特許文献１〜４等が従来公知である。
（特許文献１：特開平９−２０４５５号公報）
（特許文献２：特開平９−２０４５７号公報）
前記特許文献１，２には、スタックトレイが鉛直方向下向きに下降するものが記載されている。
（特許文献３:特開平７−３００２７０号公報）
（特許文献４:特開平８−１０８９６５号公報）
前記特許文献３，４には、スタックトレイが鉛直方向下向きから排紙方向下流側にわずかに傾斜して下降するものが記載されている。
【０００４】
【特許文献１】特開平９−２０４５５号公報
【特許文献２】特開平９−２０４５７号公報
【特許文献３】特開平７−３００２７０号公報
【特許文献４】特開平８−１０８９６５号公報
【発明の開示】
【発明が解決しようとする課題】
【０００５】
（特許文献１〜４記載の技術の問題点）
前記スタックトレイでは、スタックトレイの傾斜したシート支持面に排出されてスタックされたシート束の各シートの後端が後端支持部材にもたれかかった状態となる。前記シート支持面の傾斜角及び、後端支持部材の傾斜角等が災いして、スタック枚数が普通紙で1,500枚、2,000枚と大量なると一度に取り出すことはほぼ不可能で、２度、３度と分割して取り出さなければならず、また、取り出す際のスタック用紙も傾斜した状態のままであるといった問題がある。
本発明は前記事情に鑑み、次の記載内容（Ｏ01）を技術的課題とする。
（Ｏ01）スタックトレイに排出されてスタックされたシート束を容易に取り出せるようにすること。
【課題を解決するための手段】
【０００６】
次に、前記課題を解決するために案出した本発明を説明するが、本発明の構成要素には、後述の実施例の構成要素との対応を容易にするため、実施例の構成要素の符号をカッコで囲んだものを付記する。なお、本発明を後述の実施例の符号と対応させて説明する理由は、本発明の理解を容易にするためであり、本発明の範囲を実施例に限定するためではない。
【０００７】
（第１発明）
前記課題を解決するために第１発明のトレイ装置は、下記の構成要件（Ａ01）〜（Ａ03）を備えたことを特徴とする。
（Ａ01）画像記録されたシート（Ｓ）が排出され且つ排出されたシート（Ｓ）が順次積載されるスタックトレイ（２）であって、シート支持面がシート排出方向前方に行くに従って上方に傾斜した傾斜姿勢と水平姿勢との間で回動可能な前記スタックトレイ（２）、
（Ａ02）前記スタックトレイ（２）をシート積載量に応じて下降させる下降装置（Ｍ１＋１３〜１５）、
（Ａ03）前記スタックトレイ（２）が下端位置に移動した状態で前記シート支持面を前記傾斜姿勢から前記水平姿勢に回動させるスタックトレイ回動装置（Ｍ２＋１１＋１６〜１９）。
【０００８】
（第１発明の作用）
前記構成要件（Ａ01）〜（Ａ03）を備えた第１発明の排紙トレイ装置では、シート支持面がシート排出方向前方に行くに従って上方に傾斜した傾斜姿勢と水平姿勢との間で回動可能なスタックトレイ（２）は、画像記録されたシート（Ｓ）が排出され且つ排出されたシート（Ｓ）が順次積載される。
下降装置（Ｍ１＋１３〜１５）は、前記スタックトレイ（２）をシート積載量に応じて下降させる。
スタックトレイ回動装置（Ｍ２＋１１＋１６〜１９）は、前記スタックトレイ（２）が下端位置に移動した状態で前記シート支持面を前記傾斜姿勢から前記水平姿勢に回動させる。前記シート支持面が前記水平姿勢に回動すると、シートの取り出しが容易になる。
【０００９】
（第１発明の形態１）
第１発明の形態１の排紙トレイ装置は、前記第１発明において次の構成要件（Ａ04）を備えたことを特徴とする。
（Ａ04）前記スタックトレイ（２）が下端位置に移動したときに前記シート支持面を前記傾斜姿勢から前記水平姿勢に自動的に回動させる前記スタックトレイ回動装置（Ｍ２＋１１＋１６〜１９）。
（第１発明の形態１の作用）
前記構成要件（Ａ04）を備えた第１発明の形態１の排紙トレイ装置では、前記スタックトレイ回動装置（Ｍ２＋１１＋１６〜１９）は、前記スタックトレイ（２）が下端位置に移動したときに前記シート支持面を前記傾斜姿勢から前記水平姿勢に自動的に回動させる。
【００１０】
（第１発明の形態２）
第１発明の形態２の排紙トレイ装置は、前記第１発明または第１発明の形態１において次の構成要件（Ａ05），（Ａ06）を備えたことを特徴とする。
（Ａ05）前記スタックトレイ（２）に排出されたシート後端を位置決め支持するシート後端支持部材（２１）であって上端が回動可能に支持され且つ下端がシート排出方向に移動可能な前記シート後端支持部材（２１）、
（Ａ06）前記スタックトレイ（２）が下端位置に移動した状態で前記シート後端支持部材（２１）の下端部をシート排出方向前方に移動させて前記スタックトレイ（２）上のシート後端を前方に移動させる後端支持部材移動装置（Ｍ３＋２１＋２４＋２５）。
【００１１】
（第１発明の形態２の作用）
前記構成要件（Ａ05），（Ａ06）を備えた第１発明の形態２の排紙トレイ装置では、上端が回動可能に支持され且つ下端がシート排出方向に移動可能な前記シート後端支持部材（２１）は、前記スタックトレイ（２）に排出されたシート後端を位置決め支持する。後端支持部材移動装置（Ｍ３＋２１＋２４＋２５）は、前記スタックトレイ（２）が下端位置に移動した状態で前記シート後端支持部材（２１）の下端部をシート排出方向前方に移動させて前記スタックトレイ（２）上のシート後端を前方に移動させる。
このとき、スタックトレイ（２）上面に支持されたシート束は、その後端が前記スタックトレイ（２）上面に対して垂直に近い角度になる。
【００１２】
（第１発明の形態３）
第１発明の形態３の排紙トレイ装置は、前記第１発明または第１発明の形態１もしくは２において次の構成要件（Ａ07）を備えたことを特徴とする。
（Ａ07）前記スタックトレイ（２）が下端位置に移動した時に前記シート後端支持部材（２１）の下端部をシート排出方向前方に自動的に移動させて前記スタックトレイ（２）上のシート後端を前方に移動させる前記後端支持部材移動装置（Ｍ３＋２１＋２４＋２５）。
（第１発明の形態３の作用）
前記構成要件（Ａ07）を備えた第１発明の形態３の排紙トレイ装置では、前記後端支持部材移動装置（Ｍ３＋２１＋２４＋２５）は、前記スタックトレイ（２）が下端位置に移動した時に前記シート後端支持部材（２１）の下端部をシート排出方向前方に自動的に移動させて前記スタックトレイ（２）上のシート後端を前方に移動させる。
【００１３】
（第２発明）
第２発明の排紙トレイ装置は次の構成要件（Ａ01），（Ａ02），（Ａ05），（Ａ06）を備えたことを特徴とする。
（Ａ01）画像記録されたシート（Ｓ）が排出され且つ排出されたシート（Ｓ）が順次積載されるスタックトレイ（２）であって、シート支持面がシート排出方向前方に行くに従って上方に傾斜した傾斜姿勢と水平姿勢との間で回動可能な前記スタックトレイ（２）、
（Ａ02）前記スタックトレイ（２）をシート積載量に応じて下降させる下降装置（Ｍ１＋１３〜１５）、
（Ａ05）前記スタックトレイ（２）に排出されたシート後端を位置決め支持するシート後端支持部材（２１）であって上端が回動可能に支持され且つ下端がシート排出方向に移動可能な前記シート後端支持部材（２１）、
（Ａ06）前記スタックトレイ（２）が下端位置に移動した状態で前記シート後端支持部材（２１）の下端部をシート排出方向前方に移動させて前記スタックトレイ（２）上のシート後端を前方に移動させる後端支持部材移動装置（Ｍ３＋２１＋２４＋２５）。
【００１４】
（第２発明の作用）
前記構成要件（Ａ01），（Ａ02），（Ａ05），（Ａ06）を備えた第２発明の排紙トレイ装置では、シート支持面がシート排出方向前方に行くに従って上方に傾斜した傾斜姿勢と水平姿勢との間で回動可能なスタックトレイ（２）は、画像記録されたシート（Ｓ）が排出され且つ排出されたシート（Ｓ）が順次積載される。下降装置（Ｍ１＋１３〜１５）は、前記スタックトレイ（２）をシート積載量に応じて下降させる。
上端が回動可能に支持され且つ下端がシート排出方向に移動可能な前記シート後端支持部材（２１）は、前記スタックトレイ（２）に排出されたシート後端を位置決め支持する。
印刷動作が終了し、スタックトレイ（２）から大量のスタック用紙を取り出すとき、トレイ下降斜面にもたれかかって整列されている。
後端支持部材移動装置（Ｍ３＋２１＋２４＋２５）は、前記スタックトレイ（２）が下端位置に移動した状態で前記シート後端支持部材（２１）の下端部をシート排出方向前方に移動させて前記スタックトレイ（２）上のシート後端を前方に移動させる。このとき、スタックトレイ（２）上面に支持されたシート束は、その後端が前記スタックトレイ（２）上面に対して垂直に近い角度になる。
その後、スタックトレイ（２）をその上面が水平になるように回動させた場合、スタック用紙の束が垂直に立つので、スタックトレイ（２）からのシート束の取り出しが容易となる。
【００１５】
（第３発明）
第３発明のトレイ装置は、次の構成要件（Ａ01），（Ａ03′）を備えたことを特徴とする。
（Ａ01）画像記録されたシートが排出され且つ排出されたシートが順次積載されるスタックトレイであって、シート支持面がシート排出方向前方に行くに従って上方に傾斜した傾斜姿勢と水平姿勢との間で回動可能な前記スタックトレイ、
（Ａ03′）前記スタックトレイの前記シート支持面を前記傾斜姿勢から前記水平姿勢に回動させるスタックトレイ回動装置。
【００１６】
（第３発明の作用）
前記構成要件（Ａ01），（Ａ03′）を備えた第３発明のトレイ装置では、シート支持面がシート排出方向前方に行くに従って上方に傾斜した傾斜姿勢と水平姿勢との間で回動可能なスタックトレイ（２）は、画像記録されたシート（Ｓ）が排出され且つ排出されたシート（Ｓ）が順次積載される。
スタックトレイ回動装置（Ｍ２＋１１＋１６〜１９）は、前記スタックトレイ（２）の前記シート支持面を前記傾斜姿勢から前記水平姿勢に回動させる。前記シート支持面が前記水平姿勢に回動すると、シートの取り出しが容易になる。
【発明の効果】
【００１７】
前述の本発明の排紙トレイ装置は、下記の効果（Ｅ01）を奏する。
（Ｅ01）スタックトレイに大量に排出されてスタックされたシート束を容易に取り出すことができる。
【発明を実施するための最良の形態】
【００１８】
次に図面を参照しながら、本発明の排紙トレイ装置の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例】
【００１９】
（実施例１）
図１は本発明の排紙トレイ装置の実施例１を備えた画像形成装置（タンデム式デジタルカラー複写機）の全体説明図である。
図１において、画像形成装置Ｕは、ＵＩ（ユーザインタフェース）、イメージ入力装置Ｕ１、給紙装置Ｕ２、画像形成装置本体Ｕ３、および用紙処理装置Ｕ４を有している。
【００２０】
（ユーザインタフェースＵＩ）：
ＵＩは、コピースタートキー（図示せず）、コピー枚数設定キー、テンキー等の入力キーおよび表示器ＵＩ1を有している。
（イメージ入力装置Ｕ１）：
イメージ入力装置Ｕ１は、自動原稿搬送装置およびイメージスキャナ等により構成されている。
図１において、イメージ入力装置Ｕ１では、照明された原稿（図示せず）からの反射光は、図示しない露光光学系、ＣＣＤ（固体撮像素子）帯状パイル織物画像処理回路（図示せず）でＲ（赤）、Ｇ（緑）、Ｂ（青）の画像データに変換されて、所定のタイミングで画像形成装置本体Ｕ３に入力される。
【００２１】
（給紙装置Ｕ２）：
給紙装置Ｕ２は複数の給紙トレイＴＲ１〜ＴＲ４、前記各給紙トレイＴＲ１〜ＴＲ４に収容された画像記録用の記録用紙Ｓを取り出して画像形成装置本体Ｕ３に搬送する給紙路ＳＨ1等を有している。
【００２２】
（画像形成装置本体Ｕ３）:
図１において、画像形成装置本体Ｕ３は、前記給紙装置Ｕ２から搬送された記録用紙Ｓに画像記録を行う画像記録部（詳細は後述）、トナーディスペンサー装置Ｕ３a、および用紙搬送路ＳＨ２、用紙排出路ＳＨ３、用紙反転路ＳＨ４、用紙循環路ＳＨ６等を有している。
また、画像形成装置本体Ｕ３は、コントロールＣ、および前記コントロールＣにより制御されるレーザ駆動回路Ｄおよび電源回路Ｅ等を有している。コントロールＣにより作動を制御されるレーザ駆動回路Ｄは、前記イメージ入力装置Ｕ１から入力されたＹ（イエロー）、Ｍ（マゼンタ）、Ｃ（シアン）、Ｋ（黒）の画像データに応じたレーザ駆動信号を所定のタイミングで、各色のトナー像形成装置ＵＹ，ＵＭ，ＵＣ，ＵＫの潜像形成装置ＲＯＳy，ＲＯＳm，ＲＯＳc，ＲＯＳkに出力する。なお、前記各色のトナー像形成装置ＵＹ，ＵＭ，ＵＣ，ＵＫは、画像形成装置本体Ｕ３の前方に引き出された引出位置と画像形成装置本体Ｕ３内部に装着された装着位置との間で移動可能に支持されている。
【００２３】
図１において、Ｋ（黒）のトナー像形成装置ＵＫの感光体ドラム（トナー像担持体）Ｐkの周囲には、帯電器ＣＣk、現像器Ｇk、クリーナＣＬk等が配置されている。
そして、他のトナー像形成装置ＵＹ，ＵＭ，ＵＣの前記感光体ドラムＰy，Ｐm，Ｐcの周囲にもそれぞれ前記感光体ドラムＰkの周囲と同様の帯電器ＣＣy，ＣＣm，ＣＣc、現像器Ｇy，Ｇm，Ｇc、クリーナＣＬy，ＣＬm，ＣＬc等が配置されている。
【００２４】
図１において、感光体ドラムＰy，Ｐm，Ｐc，Ｐkは、それぞれ帯電器ＣＣy，ＣＣm，ＣＣc，ＣＣkにより一様に帯電された後、前記潜像形成装置ＲＯＳy，ＲＯＳm，ＲＯＳc，ＲＯＳkの出力するレーザビームＬy，Ｌm，Ｌc，Ｌkによりその表面に静電潜像が形成される。前記感光体ドラムＰy，Ｐm，Ｐc，Ｐk表面の静電潜像は、現像器Ｇy，Ｇm，Ｇc，ＧkによりＹ（イエロー）、Ｍ（マゼンタ）、Ｃ（シアン）、Ｋ（黒）の色のトナー像に現像される。
【００２５】
感光体ドラムＰy，Ｐm，Ｐc，Ｐk表面上のトナー像は、１次転写ロールＴ1y，Ｔ1m，Ｔ1c，Ｔ1kにより中間転写ベルトＢ上に順次重ねて転写され、中間転写ベルトＢ上にカラー画像が形成される。中間転写ベルトＢ上に形成されたカラートナー像は、２次転写領域Ｑ
４に搬送される。
なお、黒画像データのみの場合はＫ（黒）の感光体ドラムＰkおよび現像器Ｇkのみが使用され、黒のトナー像のみが形成される。
１次転写後、感光体ドラムＰy，Ｐm，Ｐc，Ｐk表面の残留トナーは感光体ドラム用のクリーナＣＬy，ＣＬm，ＣＬc，ＣＬkによりクリーニングされる。
【００２６】
ベルトモジュールＢＭは、前記中間転写ベルトＢと、ベルト駆動ロールＲd、テンションロールＲt、ウォーキングロールＲw、複数のアイドラロール（フリーロール）ＲfおよびバックアップロールＴ2aを含むベルト支持ロール（Ｒd，Ｒt，Ｒw，Ｒf，Ｔ2a）と、前記１次転写ロールＴ1y，Ｔ1m，Ｔ1c，Ｔ1kとを有している。そして、前記中間転写ベルトＢは前記ベルト支持ロール（Ｒd，Ｒt，Ｒw，Ｒf，Ｔ2a）により矢印Ｙa方向に回転移動可能に支持されている。
【００２７】
前記バックアップロールＴ2aの下方には２次転写ユニットＵtが配置されている。２次転写ユニットＵtの２次転写ロールＴ２bは、前記中間転写ベルトＢを挟んでバックアップロールＴ2aに離隔および圧接可能（離接可能）に配置されており、前記２次転写ロールＴ２bが中間転写ベルトＢと圧接する領域（ニップ）により２次転写領域Ｑ４が形成されている。また、前記バックアップロールＴ2aにはコンタクトロールＴ2cが当接しており、前記ロールＴ2a〜Ｔ2cにより２次転写器(転写装置)Ｔ2が構成されている。
前記コンタクトロールＴ2cにはコントロールＣにより制御される電源回路から所定のタイミングでトナーの帯電極性と同極性の２次転写電圧が印加される。
【００２８】
前記ベルトモジュールＢＭ下方には用紙搬送路ＳＨ２が配置されている。前記給紙装置Ｕ２の給紙路ＳＨ1から給紙された記録用紙Ｓは、前記用紙搬送路ＳＨ２のレジロールＲｒに搬送されて、カラートナー像が２次転写領域Ｑ４に搬送されるのにタイミングを合わせてレジ側用紙ガイドＳＧｒ、転写前用紙ガイドＳＧ２を通って２次転写領域Ｑ４に搬送される。
なお、レジ側用紙ガイドＳＧｒはレジロールＲｒとともに、画像形成装置本体Ｕ３に固定されている。
前記中間転写ベルトＢ上のカラートナー像は、前記２次転写領域Ｑ４を通過する際に前記２次転写器Ｔ2により前記記録用紙Ｓに転写される。なお、フルカラー画像の場合は中間転写ベルトＢ表面に重ねて１次転写されたトナー像が一括して記録用紙Ｓに２次転写される。
【００２９】
２次転写後の前記中間転写ベルトＢは、ベルトクリーナＣＬBによりクリーニングされる。なお、前記２次転写ロールＴ２bおよびベルトクリーナＣＬBは、中間転写ベルトＢと離接自在（離隔および接触自在）に配設されている。
【００３０】
トナー像が２次転写された前記記録用紙Ｓは、転写後用紙ガイドＳＧ３、用紙搬送ベルトＢＨを通って定着装置Ｆの一対の定着ロールＦｈと加圧ロールＦｐとが圧接する領域（定着領域）Ｑ５に搬送される。前記記録用紙Ｓ上のトナー像は定着領域Ｑ５を通過する際に定着装置Ｆにより加熱定着される。前記定着装置Ｆの下流側には切替ゲートＧＴ１が設けられている。前記切替ゲートＧＴ１は用紙搬送路ＳＨ２を搬送されて定着領域Ｑ５で加熱定着された記録用紙Ｓを、用紙排出路ＳＨ３または用紙反転路ＳＨ４側のいずれかに選択的に切り替える。前記用紙排出路ＳＨ３に搬送された用紙Ｓは、用紙処理装置Ｕ４の用紙搬送路ＳＨ５に搬送される。
前記用紙搬送路ＳＨ５に配置されたカール補正部材Ｕ４ａによりカールを補正された後、排出ロールＲｈから用紙処理装置Ｕ４の排出トレイ装置１のスタックトレイ２にフェイスアップ（用紙の画像定着面が上向き）で排出される。
【００３１】
前記切替ゲートＧＴ１により画像形成装置本体Ｕ３の前記用紙反転路ＳＨ４側に搬送された用紙は、用紙部材により構成されたマイラゲートＧＴ２を通って画像形成装置本体Ｕ３の前記用紙反転路ＳＨ４に搬送される。この用紙反転路ＳＨ４に搬送された用紙を反転させた後に、前記用紙搬送路ＳＨ３、ＳＨ５に搬送して前記用紙処理装置Ｕ４のスタックトレイ（用紙排出トレイ）２にフェイスダウン（用紙の画像定着面が下向き）で排出することができる。その場合には、前記マイラーゲートＧＴ２を用紙後端が通過した直後に用紙をスイッチバックさせる。前記マイラーゲートＧＴ２は用紙反転路ＳＨ４に搬送されてきた記録用紙Ｓをそのまま一旦通過させ、通過した記録用紙Ｓがスイッチバックして搬送されてくると、用紙処理装置Ｕ４側に搬送する。
【００３２】
前記画像形成装置本体の用紙反転路ＳＨ４の途中には用紙循環路ＳＨ６が接続されており、その接続部にはマイラゲートＧＴ３が配置されている。前記画像形成装置本体の用紙反転路ＳＨ４の下流端は用紙処理装置Ｕ４の用紙反転路ＳＨ７に接続されている。
前記切替ゲートＧＴ１を通って用紙搬送路ＳＨ４に搬送された用紙は、前記マイラーゲートＧＴ３により前記用紙処理装置Ｕ４の用紙反転路ＳＨ７側に搬送される。前記マイラーゲートＧＴ３は用紙反転路ＳＨ４を搬送されてきた記録用紙Ｓをそのまま一旦通過させ、通過した記録用紙Ｓをスイッチバックさせると、前記スイッチバックした用紙を用紙循環路ＳＨ６側に搬送する。
前記用紙循環路ＳＨ６に搬送された記録用紙Ｓは前記給紙路ＳＨ1を通って前記転写領域Ｑ４に再送される。
【００３３】
前記用紙搬送路ＳＨ３またはＳＨ４から、用紙処理装置Ｕ４に搬送された用紙は、用紙処理装置Ｕ４のシート搬送路ＳＨ５からゲートＧＴ４に搬送される。ゲートＧＴ４の用紙搬送方向下流側には、前記カール補正装置Ｕ４ａが配置されている。カール補正装置Ｕ４ａは、第１カール補正部材Ｌ１と第２カール補正部材Ｌ２とを有している。前記ゲートＧＴ４は、シート搬送路ＳＨ５から搬送されてきた用紙を、その用紙のカールの向きに応じて、前記第１カール補正部材Ｌ１または第２カール補正部材Ｌ２のいずれか一方に搬送する。前記第１および第２カール補正部材Ｌ１，Ｌ２は、カール補正用回転ベルトとそれに圧接するカール補正用回転ロールとを有している。前記カール補正用回転ベルトとそれに圧接するカール補正用回転ロールとの圧接領域であるニップを通過する用紙は、カールが補正される。
【００３４】
前記符号ＳＨ1〜ＳＨ７で示された要素により用紙搬送路ＳＨが構成されている。また、前記符号ＳＨ，Ｒａ，Ｒｒ，Ｒｈ，ＳＧｒ，ＳＧ１〜ＳＧ３，ＢＨ、ＧＴ１〜ＧＴ３で示された要素により用紙搬送装置ＳＵが構成されている。
前記排出ロールＲｈから排出されるシートはスタックトレイ２に排出される。
【００３５】
（スタックトレイ）
図２はスタックトレイの前面図で、スタックトレイが上端位置に移動した状態を実線で示し、下端位置に移動した状態を２点鎖線で示す図である。
図３はスタックトレイの説明図であり、図３Ａはスタックトレイの上面図で前記図２の矢印IIIＡから見た図、図３Ｂは前記図３Ａの矢印IIIＢ−IIIＢから見た図である。
図４はスタックトレイの前面図で、スタックトレイが下端位置に移動した状態を実線で示し、上端位置に移動した状態を２点鎖線で示す図である。
図５はスタックトレイの説明図であり、図５Ａはスタックトレイの上面図で前記図４の矢印ＶＡから見た図、図５Ｂは前記図５Ａの矢印ＶＢ−ＶＢから見た図である。
【００３６】
図２〜図５において、排紙トレイ装置１は、スタックトレイ２を有している。スタックトレイ２の上面はシートＳを支持するシート支持面として形成されている。スタックトレイ２の左端部には、前後方向全長に渡ってレバー当接面２ａが形成されており、前後方向中央部にシート後端支持部材貫通孔２ｂが形成されている。
前記スタックトレイ２を前後に貫通する貫通軸３は、スタックトレイ２の前後両端部に配置したスライダ５，５を貫通している。貫通軸３の前端部の軸頭部３ａは前側のスライダ５の前面に当接し、貫通軸後端部のネジに螺合するナット４は後測のスライダ５の後面に当接している。したがって、前記スタックトレイ２はスライダ５，５に支持された前記貫通軸３回りに回動可能に支持されている。
前記前後の各スライダ５をそれぞれ上下に貫通する一対のガイドシャフト６，６は、下方に行くに従って右方に傾斜して配置されている。前記ガイドシャフト６，６の上端部は上端固定部材７により固定されており、下端部は下端固定部材８により固定されている。前記ガイドシャフト６，６は、前記各スライダ５を、上下方向にスライド可能にガイドする。
【００３７】
前記一対のスライダ５，５の左端部の上下方向の中間部には、前後方向に延びるレバー収容溝５ａ，５ａが形成されており、前記レバー収容溝５ａ，５ａにはそれぞれＬ型レバー１１，１１が鉛直軸１２，１２回りに回転可能に支持されている。前記鉛直軸１２，１２の外周にはネジリバネ（図示せず）が設けられており、前記図示しないネジリバネの弾性力によりＬ型レバー１１，１１は常時図３Ａに示す位置に保持されている。前記Ｌ型レバー１１は、前記レバー当接面２ａに当接する当接部１１ａと前記Ｌ型レバー１１を回動させるための操作部１１ｂとを有している。
【００３８】
前記スタックトレイ２後端の前後方向中央部には上下方向に延びるエンドレスのタイミングベルト１３が連結されている。タイミングベルト１３は駆動プーリ１４および従動プーリ１５により回転可能に支持されている。トレイ昇降モータＭ１により前記駆動プーリ１４を正回転または逆回転させることにより、タイミングベルト１３に連結されたスタックトレイ２を上下動させることができるように構成されている。前記符号Ｍ１,１３〜１５で示した要素（Ｍ１＋１３〜１４）により、シート積載量に応じてスタックトレイ２を下降させる下降装置（Ｍ１＋１３〜１５）が構成されている。
【００３９】
前記スタックトレイ２が図４の実線位置に下降した状態を示す前記図９において、前記一対のＬ型レバー１１の操作部１１ｂ，１１ｂに対向して操作レバー１６，１６の上端が配置されている。操作レバー１６，１６は左右に延びる水平軸１６ａ，１６ａ回りに回動可能であり、その下端部はワイヤ１７，１７の外端に連結されている。前記ワイヤ１７，１７の内端はワイヤ巻き取りロール１８に連結されている。前記操作レバー１６，１６は、その下端部に連結された引っ張りバネ１９，１９により引っ張られており、常時は図９に示す状態に保持されている。
トレイ回動用モータＭ２により前記ワイヤ巻き取りロール１８を回転させてワイヤ１７，１７を巻き取ると、操作レバー１６，１６の上端部が外側に回動して前記Ｌ型レバー１１，１１の操作部１１ｂ，１１ｂを外側に回動させる。そのとき、前記Ｌ型レバー１１，１１の当接部１１ａ，１１ａは前記レバー当接面２ａから離脱するように構成されている。前記符号Ｍ２,１１,１６〜１９で示した要素（Ｍ２＋１１＋１６〜１９）により、前記スタックトレイ２が下端位置に移動したときに前記シート支持面を前記傾斜姿勢から前記水平姿勢に自動的回動させるスタックトレイ回動装置（Ｍ２＋１１＋１６〜１９）が構成されている。
【００４０】
図６はシート後端支持部材の説明図であり、シート後端支持部材が通常位置に保持されている状態を示す図である。
図７はシート後端支持部材の説明図であり、シート後端支持部材がシート押し出し位置に移動した状態を示す図である。
図３、図５、図６において、前記シート後端支持部材貫通孔２ｂを上下に貫通するシート後端支持部材２１は、一対のシャフト２２，２２と、前記一対のシャフト２２，２２の右端に連結されたプレート２３とを有している。シャフト２２，２２は前後に離れ且つ上下方向に延びて配置されており、それらの上端部は前後方向に延びる水平軸２１ａ回りに回動可能に支持されている。
【００４１】
前記シート後端支持部材２１の下端部には円弧状ギヤ２４が連結されており、円弧状ギヤ２４は図示しなモータにより回転されるギヤ２５と噛み合っている。前記シート束押し出し用モータＭ３により前記ギヤ２５を回転させて、後端支持部材２１を水平軸２１ａ回りに、図６の状態から図７の状態に回動させると、前記スタックトレイ２上に支持されたシート束Ｓは、スタックトレイ上で、右方に移動する。このとき、シート束Ｓの後端縁は、スタックトレイ２の上面に対してほぼ直角の姿勢に保持される。前記符号Ｍ３,２１,２４,２５で示された要素により、前記スタックトレイ２が下端位置に移動した状態で前記シート後端支持部材２１の下端部をシート排出方向前方に移動させて前記スタックトレイ２上のシート後端を前方に移動させる後端支持部材移動装置（Ｍ３＋２１＋２４＋２５）が構成されている。
前記符号２〜２５で示された要素により前記実施例１のスタックトレイ１が構成されている。
【００４２】
（実施例１の作用）
図８は前記図７の矢印ＶIIIから見た図であり、スタックトレイの上面図である。
図９は前記図８の状態で、Ｌ型レバーを回動させた状態を示す図である。
図１０は前記スタックトレイの前面図であり、２点鎖線はスタックトレイが図８に示す位置にある状態すなわち図７と同じ状態を示す図、実線はスタックトレイが前記図９に示す位置にある状態を示す図である。
前記構成を備えた実施例１のトレイ装置では、シートの排出量に応じて、駆動プーリ１４およびタイミングベルト１３を回転させてスタックトレイ２を下降させ、シート排出面の高さ（スタックトレイ２上のシート上面高さ）が常に一定に保持される。
前記画像形成装置Ｕでのジョブ（印刷）が終了し、用紙処理装置Ｕ４のスタックトレイ２に排出用紙が大量に溜まっている状態を認識するため、制御部にて印刷中のスタックトレイ２のダウン回数をカウントする。ダウン回数が規定回数ｎに達していれば、スタック容量が大量（普通紙で1,000枚以上）と見なし、スタックトレイ２を一旦、最下点位置まで下げる。
（図６参照）。
【００４３】
スタックトレイ２が下端位置に移動した状態で、ギヤ２５を回転させて円弧状ギヤ２４およびシート後端支持部材２１の下端を右方に移動させる。そうすると、スタックトレイ２上のシート束Ｓの左端（シート搬送方向の後端）は、右方（シート搬送方向前方）に移動して、図６に示す状態から図７に示す状態となる。ことのとき、シート束Ｓのシート搬送方向の前、後端は、スタックトレイ２上面に対してほぼ垂直（図７参照）になる。
このようにして、スタック用紙束Ｓの傾斜を取り除く補正動作を行う。
【００４４】
その状態でトレイ回動用モータ（図示せず）によりワイヤ巻き取りロール１８を回転させてワイヤ１７，１７を巻き取ると、操作レバー１６，１６の上端部が外側に回動して前記Ｌ型レバー１１，１１の操作部１１ｂ，１１ｂを図８の位置から図９の位置に回動させる。そのとき、前記Ｌ型レバー１１，１１の当接部１１ａ，１１ａは前記レバー当接面２ａから離脱する。このとき、スタックトレイ２は重力の作用により図１０の２点鎖線位置から実線位置に回動する。
スタックトレイ２が図１０の実線位置に回動した状態では、スタックトレイ２の上面（シート支持面）は、ほぼ水平となり、スタックトレイ２上面に積載されたシート束Ｓのシート搬送方向前端および後端はスタックトレイ２上面に対してほぼ垂直となり、安定した姿勢で保持される。この状態では、シート束Ｓを一度に容易に取り出すことができる。
【産業上の利用可能性】
【００４５】
（変更例）
以上、本発明の実施の形態を詳述したが、本発明は、前記実施の形態に限定されるものではなく、特許請求の範囲に記載された本発明の要旨の範囲内で、種々の変更を行うことが可能である。本発明の変更例（Ｈ01）を下記に例示する。
（Ｈ01）本発明は、シート処理装置の排紙トレイ装置だけでなく、プリンタ、複写機、ＦＡＸ、複合機等の種々の画像形成装置の排紙トレイ装置にも適用可能である。また、電子写真方式の画像形成装置だけでなく、インクジェット記録方式の画像形成装置等の排紙トレイにも適用可能である。
【図面の簡単な説明】
【００４６】
【図１】図１は本発明の排紙トレイ装置の実施例１を備えた画像形成装置（タンデム式デジタルカラー複写機）の全体説明図である。
【図２】図２はスタックトレイの前面図で、スタックトレイが上端位置に移動した状態を実線で示し、下端位置に移動した状態を２点鎖線で示す図である。
【図３】図３はスタックトレイの説明図であり、図３Ａはスタックトレイの上面図で前記図２の矢印IIIから見た図、図３Ｂは前記図３Ａの矢印IIIＢ−IIIＢから見た図である。
【図４】図４はスタックトレイの前面図で、ススタックトレイが下端位置に移動した状態を実線で示し、上端位置に移動した状態を２点鎖線で示す図である。
【図５】図５はスタックトレイの説明図であり、図５Ａはスタックトレイの上面図で前記図４の矢印Ｖから見た図、図５Ｂは前記図５Ａの矢印ＶＢ−ＶＢから見た図である。
【図６】図６はシート後端支持部材の説明図であり、シート後端支持部材が通常位置に保持されている状態を示す図である。
【図７】図７はシート後端支持部材の説明図であり、シート後端支持部材がシート押し出し位置に移動した状態を示す図である。
【図８】図８は前記図７の矢印ＶIIIから見た図であり、スタックトレイの上面図である。
【図９】図９は前記図８の状態で、Ｌ型レバーを回動させた状態を示す図である。
【図１０】図１０は前記スタックトレイの前面図であり、２点鎖線はスタックトレイが図８に示す位置にある状態すなわち図７と同じ状態を示す図、実線はスタックトレイが前記図９に示す位置にある状態を示す図である。
【符号の説明】
【００４７】
Ｍ１＋１３〜１５…下降装置、
Ｍ２＋１１＋１６〜１９…スタックトレイ回動装置、
Ｍ３＋２１＋２４＋２５…後端支持部材移動装置
Ｓ…シート、
２…スタックトレイ、
２１…シート後端支持部材、
【図１】
2006076754.tif 000003
【図２】
2006076754.tif 000004
【図３】
2006076754.tif 000005
【図４】
2006076754.tif 000006
【図５】
2006076754.tif 000007
【図６】
2006076754.tif 000008
【図７】
2006076754.tif 000009
【図８】
2006076754.tif 000010
【図９】
2006076754.tif 000011
【図１０】
2006076754.tif 000012